Podtech/llm-jp-corpus-v4-ja_patent huggingface dataset:
(57)【要約】      （修正有）【課題】人体刺戟クリームや貼付シートの主成分である皮膚への浸透力の強い刺戟物質や薬品による皮膚障害を起さずに人体のツボを化性化する材料を人体に並設し易いようにした加工体を提供する。【解決手段】人体に並設使用しても障害を起さない材料として放射線を発しない安定した天然鉱物がある。極めて多種類の鉱物の中に人体のツボを刺戟するものがあることを見出し、その中で特に堆積岩群の中で組成ＳｉＯ２９０ｗｔ％以上Ｆｅ２Ｏ３１ｗｔ％以下で遠赤外線放射率９０％以上を保持し、この粒度２０ミクロン以下の微粉鉱物を３〜１０ｗｔ％粘稠乳液に練込みクリーム状として蓋付の可撓性のあるプラスチックボトルに収納させ必要に応じて容易に人体に塗ることが出来るようにした。また上記鉱物粉体を印刷インキに練込み布体１にスクリーン印刷し乾燥して得られた鉱物粉体４を２５ｇ／ｍ２以上コートした布体１は人体に容易に並設出来、ツボの活性化が容易に得られる。【選択図】図３
0003147091.tif 000002
【実用新案登録請求の範囲】
【請求項１】
人体のある種のツボを刺戟し活性化する作用のある鉱物において、少くとも堆積岩群の中で組成ＳｉＯ２９０ｗｔ％以上Ｆｅ２Ｏ３１ｗｔ％以下から成り遠赤外線放射率９０％以上を有する鉱物粉体を５〜１５％練込んだ粘稠乳液収容の蓋付で可撓性のあるプラスチック製ボトル
【請求項２】
請求項１に記載の鉱物粉体を印刷用インキに均貭に混練しシルクスクリーンを用いて布体表面に印刷し乾燥してなる鉱物粉体を２５ｇ／ｍ２以上コートした布体
【考案の詳細な説明】
【技術分野】
【０００１】人体に並設し人体のツボを有効に活性化するセラミツクスを含有する加工品に関するものである。
【背景技術】
【０００２】市販の人体刺戟クリームや貼付シートタイプの刺戟臭のある治療材料は有機薬品や唐辛子などの刺戟果実の粉体を含有する加工品が用いられている。
【考案の開示】
【０００３】人体の皮膚表面に有機薬品や唐辛子の如き刺戟を与えることなく、しかも人体内のツボを活性化する材料としてある種の鉱物粉体を見出しこれを人体に併設し易き形態への加工品を開示する
【考案が解決しようとする課題】
【０００４】人体の皮膚に強い刺戟を与えたり薬品臭を発することなく人体のツボを活性化する材料並びにこの材料を人体のツボの所に並設し易き形態を見出す
【課題を解決するための手段】
【０００５】本考案において見出した皮膚は刺戟しないが無臭のツボ活性化材として特殊な鉱物がある。これを粉体化し人体に並設し易いように粘稠乳液に混合させて皮膚に塗る場合と、また別手段として、この粉体を印刷インキに混じて布表面にプリントし乾燥させた鉱物粉セラミツクスをコートした布体の形で対象とするツボの部分に併設させる。
【考案の効果】
【０００６】天然の鉱物の中である種のものは、放射線の如き強力有害な電磁波の作用がなくても人体のツボ経絡を活性し人体に好影響を与えることが判明した。必要とする期待効果に応じて選定した鉱物セラミツクスの粉体を、人体に並設し易いように粘稠な乳液原料に練込んだクリームや、セラミツク粉体を布体にインキを用いてコーテイングしたものは人体に並設し易く、その部分の人体の経絡ツボを活性化し人体の期待場所に快適さを与え持続する効果が得られる。
【考案を実施するための最良の形態】
【０００７】本考案にて使用する鉱物の粉体、すなわち堆積岩群の中でも組成としてＳｉＯ２９０ｗｔ％以上、Ｆｅ２Ｏ３１ｗｔ％以下のもので、遠赤外線放射率９０％以上を保持し粒度２０ミクロン以下のものは放射線は全く発しないが、人体にある多数のツボの経絡の中で胃の活動を活発化させるツボに作用する。この粉体を粘稠乳液に約３〜１０％練込んだクリームを蓋付プラスチックボトルに入れ必要に応じ人体の皮膚に押出し使用出来るようにする。また別の使用方法として上記の鉱物粉体を人体に無刺戟の印刷インキに練込み布体面に印刷後乾燥させ粉体含有量を２５ｇ／ｍ２以上有する鉱物粉プリント布を形成させ、これを腹部に並設させると胃のツボの通り道である経絡を活性して腹部がさわやかになる。また他の岩石によっては大腸、小腸や肝蔵などのツボに刺戟を与える鉱物粉体も判明しているので、その期待効果に応じてこれらを混合してクリーム様材料に練込み蓋付プラスチックボトルに収容したものや、布にプリントした布体も得られるので、種々の人体内経絡を活性する作用が強く使用に便利な製品が得られる。
【実施例１】
【０００８】本考案において選定した鉱物粉体の粒度１０ミクロン以下のもの５％を皮膚に対し無刺戟性のクリーム原料に練込んだ後蓋付プラスチックボトルに収容する。このボトルの胴体部を押して鉱物粉含有クリームを人体の腹部に広く塗布しその上に当て布を置き就寝すると翌朝には腹部に爽快感を覚える
【実施例２】
【０００９】上記の鉱物粉体をシルク印刷用インキに約３０％練込み布体上にシルクスクリーン印刷機を用いて、セラミックス粉が約３０ｇ／ｍ２以上乗るようにコーティングし加熱乾燥して得たセラミツクコート布を、約２０×２５ｃｍのサイズに切断して胃の上に当て人体に並設させると約８時間後には快適な胃の状態が感じられた。
【図面の簡単な説明】
【００１０】
【図１】鉱物粉体をシルクスクリーン印刷によりコートした布体の平面図
【図２】立面図
【図３】断面図
【符号の説明】
【００１１】１  布体
２  セラミックコート部
３  印刷インキ乾燥部
４  鉱物粉体
【図１】
0003147091.tif 000003
【図２】
0003147091.tif 000004
【図３】
0003147091.tif 000005
(57)【要約】      （修正有）【課題】点灯時にすぐ明るく点灯する電球型蛍光灯を提供する。【解決手段】蛍光灯型蛍光灯内にフィラメントを設置し点灯時にこれで熱し電球型蛍光灯全体を温めることにより現在より早く点灯する。電球型蛍光灯が点灯後にフィラメント点灯は不要なため自動的に消灯する。また電球型蛍光灯へスィッチ入れ後に瞬時に点灯するハロゲンランプ（電球の寿命二千時間）又は白熱灯とを一体化にした電球を用いる事により蛍光灯型の電球の普及に貢献できる。【選択図】図１
0003147094.tif 000002
【実用新案登録請求の範囲】
【請求項１】
電球型蛍光灯と白熱灯〈ハロゲンランプ〉の組合せ。
【請求項２】
電球型蛍光灯ランプ内に白熱灯のフィラメントを設ける。
【請求項３】
現在の電球型蛍光灯より早く点灯する方法。
【考案の詳細な説明】
背景技術      電球型蛍光灯もハロゲンランプもすでに製造販売されているので新たな研              究開発の必要はない。
考案の開示    図面の通り。
課題を解決するための課題    電球型蛍灯の球面にハロゲンランプの球面を接合する技術
考案の効果    全世帯が電球形蛍光灯に切り替えた場合の温室効果ガス削減効果は、家庭              の排出量の１．３％に当たる約二百万トンとみなされている。
利用の可能性  現在の電球形蛍光灯の価額より割高になる可能性があり普及に時間が必要              。
図の簡単な説明  別紙の図面の通り。
その他、出願趣旨のとおり
出願の趣旨
甘利経済産業相は今年４月五日、「電力消費が多い白熱電球を四年後に国内での製造・販売を中止し、電球形型蛍光灯に全面切り替えを完了させる方針を正式に表明した。電球型蛍光灯は、消費電力が白熱灯の約五分の一で、寿命が長く省エネ効果が高い。政府が具体的な期限を設定することで、普及を加速させる狙いがある。」との新聞各紙翌日報道。
全世帯が電球型蛍光灯に切り替えた場合の温室効果ガス削減効果は、家庭の排出量の１．３％に当たる約二百万トンとみている。
経産相は、電球型蛍光灯が明るくなるまで約二分かかる点について［メーカーに技術改善を要請していきたい］との考えを示した。
この考え方に賛同致しまして、別紙の通り考え出願致します。
１７９９年イタリアのアレッサンドロ・ボルタの発明のボルタ電池がその後の電磁気学や電気化学の発展に寄与し現代文明や将来文明もこの発明がすべての発端なっていると言われ，［白熱球］も、［白色蛍光灯］も、そして［白色発光ダイオード］も、この発明が無かったら、ずっと遅れていたといわれています。１８８０年エジソンは［白熱電球］特許。１９２６年ドイツのレクトロン社のエドムント・ガーマー等が新しい蛍光灯の方式特許出願。１９３８年米国のＧＥ社のインマンによって開発、発明との説もある。１９４６年アルフレッド・マッキーグの開発した「ハロリン酸カルシュウム系蛍光体」を用いた白色蛍光灯の発売で広く普及した。
１９８０年電球型の蛍光灯がフィリップス社によって開発された。既存の電球用の機器に直接取り付けことが出来るので、蛍光灯を普及させるためのスイッチング・コストを大幅に引き下げる画期的なアイディアである。
日本で蛍光灯がまとまってついたのは１９４０年とされ、それから七十年弱、今では照明器具の６５％。照明は家庭の消費電力の二割を占めている。就眠前の二時間の光は電球色などのオレンジ色の光を浴びた方がその他の光より眠りが深くなると九大の安河内教授の説もある。
蛍光灯の主な特徴、ランプ効率が高い、光色が白色・昼白色・電球色，輻射熱が少ない、ランプ寿命が六千時間から二万時間と長い、光が柔らかい，電気料が安い。
これに対して後者は電球と同じねじ込み式の口金を持ち、ランプの中に電子安定器を内蔵しています。ねじ込み式の狭い場所に前者と同様な装置仕様を設けるのが不可能であるので電球型蛍光灯内部のフィラメントが放電し電子を放出して点灯する仕組みの為に時間二分が必要。
電球型蛍光灯を早く点灯する方法は図１と図２とが考えられる。
１、図１は蛍光灯型蛍光灯内にフィラメントを設置し点灯時にこれで熱し電球型蛍光灯全体を温めることにより現在より早く点灯する。電球型蛍光灯が点灯後にフィラメント点灯は不要なため自動的に消灯する。
２、電球型蛍光灯へスィッチ入れ後に瞬時に点灯するハロゲンランプ（電球の寿命二千時間）又は白熱灯とを別紙の図２のように一体化にした電球を用いる事により蛍光灯型の電球の普及に貢献できるものと考え出願致します。
スィッチオン後、瞬時に点灯、電球型蛍光灯スィッチオンの二分後に前記の後者の部分を自動的に消灯するタイムスィッチを組み合わせる仕組み。
：蛍光灯の耐用年数（六千時間乃至二万時間）とハロゲンランプ耐用年数（二千時間）の差はありますが、それは使用時間の差によりハロゲンランプの方が先に点灯不能の恐れは生じない。
【図１】
0003147094.tif 000003
【図２】
0003147094.tif 000004
【図３】
0003147094.tif 000005
【手続補正書】
【提出日】平成20年9月1日(2008.9.1)
【手続補正１】
【補正対象書類名】実用新案登録請求の範囲
【補正対象項目名】全文
【補正方法】変更
【補正の内容】
【実用新案登録請求の範囲】
【請求項１】
電球型蛍光灯内に白熱灯のフィラメントを設け、点灯時に白熱灯のフィラメントで電球型蛍光灯部分を熱し、電球型蛍光灯全体を温め早く電球型蛍光灯が点灯することを特徴とする電球型蛍光灯。
【請求項２】
電球型蛍光灯に、瞬時に点灯するハロゲンランプ又は白熱灯を接合一体化したことを特徴とする電球型蛍光灯。
【手続補正２】
【補正対象書類名】明細書
【補正対象項目名】全文
【補正方法】変更
【補正の内容】
【考案の詳細な説明】
【背景技術】電球型蛍光灯もハロゲンランプもすでに製造販売されているから新たな研究開発の必要はない。
【考案の開示】
【課題を解決するための課題】
電球型蛍光灯の球面にハロゲンランプの球面を接合、又は同灯に組み入れ内蔵する技術。
【考案の効果】
全世帯が電球型蛍光灯に切り替えた場合の温室効果ガス削減効果は、家庭の排出量の１．３％に当たる約２百万トンとみなされている。
【利用の可能性】
現在の電球型蛍光灯の市場価額より割高になる可能性があり普及に時間が必要。
その他、出願の趣旨のとおり
出願の趣旨、別紙、出願の趣旨の通り
【図面の簡単な説明】
【図１】図１は点灯時、瞬時点灯の白熱灯又はハロゲンランプを内蔵した電球型蛍光灯の立体図、点灯スイッチは両者同時に入力、球体面は曇りガラス。
【図２】電球型蛍光灯に点灯時、瞬時点灯用の小型ハロゲンランプを接合した電球型蛍光灯の立体図。点灯スイッチは両者同時に入力、球体面は曇りガラス。
【図３】図１、又は図２の電球型蛍光灯へ内蔵設置するタイムスイッチの平面図。
(57)【要約】      （修正有）【課題】縁起物としても使用することができ、しかも維持費をかけず容易に供え続けることができる神棚用の榊を提供する。【解決手段】榊１を縁起物２としての絵馬などおよび紐５により構成する。榊１は枝部３と葉部４とから成り、枝部３は合成樹脂により、葉部４は化学繊維製の布地により形成しており、接着等により葉部４を枝部３に取り付けている。ここで、枝部３は金属製の変形可能な針金を合成樹脂で覆うことにより形成してもよく、この場合にあっては、枝部３の形を変形させることができると共に、その変形した形状を維持させておくことができる。縁起物２としての絵馬は、その背面などに、紐５を接着剤等により取りつけ、他の構成物に紐５でくくりつけ、吊り下げて使用する。【選択図】図１
0003147030.tif 000002
【実用新案登録請求の範囲】
【請求項１】
枝部（３）と葉部（４）とによって構成される榊の形態を模倣した人工の榊（１）に、縁起物（２）を備えていることを特徴とする神棚用の榊。
【請求項２】
前記榊の枝部（３）は合成樹脂又は／及び金属で形成し、葉部（４）は合成樹脂又は／及び布地により形成していることを特徴とする請求項１記載の榊。
【請求項３】
前記縁起物（２）は絵馬であることを特徴とする請求項１または２記載の榊。
【考案の詳細な説明】
【技術分野】
【０００１】
本考案は神道の神事または縁起担ぎに用いられる人工の榊に関するものである。
【背景技術】
【０００２】
神道における神事とは、神前で祈りを捧げるなどの神に関するまつりごとや儀式であって、宗教に従事する者が行うものと一般の人々の行事となっているものが存在する。一般の人々の行事とは、基本的には生活に結びついた行事であり、農業の豊作、商売の繁盛や生活の安定を祈願するといったものがある。これら一般の人々の行事には縁起を担ぐといった側面もあり、近年ではその傾向が益々強まってきている。
【０００３】
ところで、古来より植物には神が宿るというように考えられてきており、中でも榊はその代表的な植物であり、神道の神事には欠かせないものとして神棚や祭壇等に供えられてきた。
榊は神事の体裁を整えると共に、神聖な雰囲気を醸し出すものであるが、縁起物としての人々の関心は低く、榊のみを縁起物として使用することはほとんど無かった。また、榊は、通常、榊立てに入れられ神棚等に供えられるものであるが、定期的に榊立ての水を交換する作業や、枯れてしまった榊を月に２回程度取り替える作業を行う必要であり、榊を供え続けるには非常に手間と維持費がかかるという問題もあった。
【考案の開示】
【考案が解決しようとする課題】
【０００４】
本考案は上記課題を解決するためになされたものであり、神事等に用いる榊であって、縁起物としても使用することができ、しかも維持費をかけず容易に供え続けることができる神棚用の榊を提供することを目的とする。
【課題を解決するための手段】
【０００５】
以下に上記課題を解決するための手段について記載する。
請求項１記載の考案は、枝部と葉部とによって構成される榊の形態を模倣した人工の榊に、縁起物を備えていることを特徴とする。
【０００６】
これによると、神道の神事等において、本考案による榊を神棚や祭壇等に供えて使用することができる。また、単に縁起物として、よいことがあるようにと祈り又は祝うために好みの場所に設置して使用することもできる。さらに、本考案による榊は人工的に形成しているので、枯れることは無く、水を使用する必要が無い。
【０００７】
榊を構成する素材については特に限定されるものではないが、請求項２記載の考案は、前記榊１の枝部は合成樹脂又は／及び金属で形成し、葉部は合成樹脂又は／及び布地により形成していることを特徴としている。ここで、枝部に針金等の変形可能な金属を用いた場合には、枝部の形状を好みに応じて自由に変形することができ、しかもその形状を維持しておくことができる。
【０００８】
また、縁起物についても特に限定される物ではないが、請求項３記載の考案は、縁起物が絵馬であることを特徴としている。
【考案の効果】
【０００９】
本考案による榊を神道の神事等において使用する場合には、神事等の体裁を整えると共に、神聖な雰囲気を提供することができることは勿論、縁起物の存在によって榊が一層引き立ち、人々の心に開運の思いと深い充足感を与えることができる。しかも、本考案による榊は人工的に形成しているので、枯れることは無く、水を使用する必要も無い。したがって、本考案による榊は、植物の榊を供える場合のように、定期的な榊の交換や榊立ての水の交換をする必要が無いので、維持が容易であると共に、榊自体を長期間使用することができ、しかも維持費がほとんどかからないといった効果を得られる。
【考案を実施するための最良の形態】
【００１０】
以下に、本考案による榊の実施形態について図面を用いて説明する。
図１に本考案による榊の代表的な実施形態を示す。図１によると、本実施形態は、榊１、縁起物２としての絵馬２および紐５によって構成されている。
【００１１】
榊１は枝部３と葉部４とから成り、枝部３は合成樹脂により、葉部４は化学繊維製の布地により形成しており、接着等により葉部４を枝部３に取り付けている。ここで、枝部３は金属製の変形可能な針金を合成樹脂で覆うことにより形成してもよく、この場合にあっては、枝部３の形を変形させることができると共に、その変形した形状を維持させておくことができる。
また、図２に示すように、絵馬２は木板を多角形に加工したものであり、その上部は山型に形成してあり、板面の両面または片面には縁起のよい絵または文字１１が施されている。なお、絵馬２の上部に木製の板で屋根１２を設けたり、装飾用に鈴１３を取り付けたりしても良い。
以上に示したような絵馬２の背面等に、紐５を接着剤等により取り付け、この紐５を榊１の枝部３または葉部４にくくり付けて吊り下げることによって絵馬２が榊１に備えられ、本実施形態が完成する。なお、絵馬２の榊１への備え方は、これ以外の方法であってもよく、他の吊り手段や接着等の手段によって備え付けてもよい。
【００１２】
本実施形態の使用については、神道の神事等で使用する場合には、榊立てに榊１を入れて、神棚や祭壇等に供えて使用することができる。この場合にあっては榊立てに水を入れる必要は無い。他方、縁起物として使用する場合には、使用者の好みに応じて、好適な場所に設置して縁起を担ぐことができる。
【００１３】
なお、榊１および絵馬２の形状や素材は、本実施形態のものに限定されるものではなく、他の形状や素材であってもかまわない。また、縁起物２に関しても、特に絵馬２に限定されるものではなく、例えば図３に示すような小槌２１や、招き猫（図示略）、七福神（図示略）等を榊１に備えてもよい。
【図面の簡単な説明】
【００１４】
【図１】本考案による代表的な実施形態を示す正面図である。
【図２】代表的な実施形態における縁起物としての絵馬を示す斜視図である。
【図３】代表的な実施形態における縁起物としての小槌を示す斜視図である。
【符号の説明】
【００１５】
１    榊
２    絵馬（縁起物）
３    枝部
４    葉部
５    紐
１１  絵又は文字
１２  屋根
１３  鈴
２１  小槌（縁起物）
【図１】
0003147030.tif 000003
【図２】
0003147030.tif 000004
【図３】
0003147030.tif 000005
(57)【要約】      （修正有）【課題】ワインボトルを開封後、通常の保管方法で賞味期限は３日間と考えられるが、それを６日間以上に延長でき、同時にワインを飲む際の雰囲気を考慮した酒気盆を提供する。【解決手段】１は木材等適宜素材よりなる上部円盤、２は下部円盤中央突起部分であり、１が回転する構造である。３は栓で密封された前記細口小液体容器７を安置するための円形スポット、４は使用後のワイングラス８及び消費後の空の前記細口小液体容器７を逆さに係止保管するための棒状突起物である。開封後のワインボトルを下部円盤の中央突起部分２の表面に置き、その周辺に５個の細口小液体容器７を前記円形スポット３に安置する。前記ワインボトル開口部に液体取り出し装置をセットし、内部液体をサイホンの原理を応用して順次前記細口小液体容器７に注入し、即栓で密閉する。こうして、６分割されたワインを１日１容器分づつ飲むことで、計６日間初期の風味を楽しむ事ができる。【選択図】 図３
0003147021.tif 000002
【実用新案登録請求の範囲】
【請求項１】
食卓用円盤表面に、液体容器を安置するための複数の円形スポットと複数の棒状突起  物を設けた酒器盆。
【請求項２】
円盤が２層構造であり、上部円盤が回転可能である請求項１記載の酒器盆。
【考案の詳細な説明】
【技術分野】
【０００１】
本考案は、アルコ−ル飲料を入れた複数個の密封容器を安置し、かつ持ち運びしやすいようにコンパクトに構成した酒器盆に関するものである。
【背景技術】
【０００２】
アルコ−ル飲料、例えばワインは、開封後すみやかに消費しないと、酸化による劣化で風味が落ちる。保存状態にもよるが、大体、３日間が限度と考えられる。
【考案の開示】
【考案が解決しようとする課題】
【０００３】
開封直後のワインの風味を、従来の２倍（６日間）保持せんとするものである。同時にワインを飲む際の雰囲気を考慮した構成をめざす。
【課題を解決するための手段】
【０００４】
本考案は、ワインボトルを開封後、液体取り出し装置を用いてサイホンの原理を利用し、ボトル中のワインを複数の細口小液体容器に移し、栓により密封する。かつ、ワインを飲む際の独特の雰囲気を考慮して、円い盆の中心に（ラベルの付いた）ボトルを置き、周りを前記小液体容器で囲む構成になっている。
【考案の効果】
【０００５】
ワインは、外気と接触する機会が少なく複数の細口小液体容器に分注密封され、酸化が最小限に抑えられ、初期（開封時）の風味を少なくとも６日間維持することが出来る。同時にワインを飲む際の雰囲気を大事にした構成になっている。かつ、ワイン消費前後の前記小液体容器及びワイングラスの保管を本酒器盆一つでまかない、コンパクトで持ち運びも簡単である。
【考案を実施するための最良の形態】
【０００６】
円盤の２層構造であり、上部円盤が回転する構造になっている。下部円盤の中央突起物表面にワインボトルを、上部円盤の表面に複数の細口小液体容器を安置する複数の円形スポットを設け、かつ、使用後の前記小液体容器とワイングラスを逆さに係止保管するための複数の棒状突起物を固定する。移動に便利なように下部円盤側面に把手を固定する。
【実施例】
【０００７】
以下、添付図面に従って一実施例を説明する。１は木材等適宜素材よりなる上部円盤、２は下部円盤中央突起部分であり、１が回転する構造である。３は栓で密封された前記細口小液体容器７を安置するための円形スポット、４は使用後のワイングラス８及び消費後の空の前記細口小液体容器７を逆さに係止保管するための棒状突起物、５は移動時に手で運ぶための把手である。
【０００８】
本考案の一実施例は上述のごとき構成からなるものであるから、開封後のワインボトル６を下部円盤の中央突起部分２の表面に置き、その周辺に５個の細口小液体容器７を前記円形スポット３に安置する。前記ワインボトル６開口部に液体取り出し装置をセットし、内部液体をサイホンの原理を応用して順次前記細口小液体容器７に注入し、即栓で密閉する。５個分終了すると、前記ワインボトル６には１日分のワインが残るので、ワイングラス８に注ぎ初日分として飲む。ワインボトル６を前記中央突起部分２に置くのは、単に保管だけではなく、ラベルを確認しながら雰囲気を楽しむ意味合いがある。かくして毎日、前記細口小液体容器７の１個分をワイングラス８に注ぎ、計６日間初期の風味を楽しむことが出来る。なお、全体がコンパクトであるから運搬も簡単である。
本考案では、円盤１上に５個の細口小液体容器７を安置しているが、例えば金属線を使ったバスケット状の１段ないし２段式にすることにより卓上インテリアの趣が期待できる。
【図面の簡単な説明】
【０００９】
【図１】本考案の平面図である。
【図２】本考案の実施例を示す、ワイン消費前の保管状況を示す斜視図である。
【図３】本考案の実施例を示す、ワイン消費後の保管状況を示す斜視図である。
【符号の説明】
【００１０】
１  上部円盤
２  下部円盤中央突起部分
３  円形スポット
４  棒状突起物
５  把手
６  ワインボトル
７  細口小液体容器
８  ワイングラス
【図１】
0003147021.tif 000003
【図２】
0003147021.tif 000004
【図３】
0003147021.tif 000005
(57)【要約】      （修正有）【課題】クリップにマーカーを取り付ける事で用途を広げ、使い易くしたマーカー付クリップを提供する。【解決手段】厚さ１ｍｍ以上の、合成樹脂又はゴム又は厚紙又はこれらと同等の強度を有する材料を以って所望の形状を形成したマーカー２の上部に突起部４を設け前面に文字３を表示すると共にこの文字に合致した点字を形成して、クリップのつまみ部分に接着剤で固着するか又は反対側に当て材を当てクリップを挟む形で両者を固定するか又はマーカーに溝を形成し該溝にクリップを挿入するかして取り付ける。【選択図】図２
0003147076.tif 000002
【実用新案登録請求の範囲】
【請求項１】
厚さ１mm以上の、合成樹脂又はゴム又は厚紙又はこれらと同等の強度を有する材料を以って所望の形状を形成したマーカーの上部に突起部を設け前面に文字を表示すると共にこの文字に合致した点字を形成して、クリップのつまみ部分に接着剤で固着するか又は反対側に当て材を当てクリップを挟む形で両者を固定するか又はマーカーに溝を形成し該溝にクリップを挿入するかして取り付けた事を特徴とするマーカー付きクリップ。
【考案の詳細な説明】
【技術分野】
【０００１】
本考案は、マーカー付きクリップに関するものであり、従来の物を挟むといった使い  方のほかに、マーカーを取り付ける事でより用途を広げ使いやすくしたクリップに関す  るものである。
【背景技術】
【０００２】
従来のクリップは、単に書類や物を挟んで纏めたり固定したりするためものであった  。また、従来から、表示用ヘッドを取り付けたゼムクリップがある（特許文献1参照）  。
この特許文献1に開示されたゼムクリップは、ゼムクリップの外周のワイヤの先端を  延長して、フォーミングを行い、表示用のヘッドが取り付けられている。
【特許文献１】実開平03-079983
【考案の開示】
【考案が解決しようとする課題】
【０００３】
そのため、次のような問題点があった。
（イ）書類が重なるとクリップが隠れてしまい、書類を見つけるのが困難であった。
（ロ）纏めた書類の内容を確認するのが困難であった。
（ハ）表示用のヘッドが小さいため、暗いところや鞄の中に入っている書類などでは確        認が困難であった。
【課題を解決するための手段】
【０００４】
この課題を解決するために、厚さ１mm以上の、合成樹脂又はゴム又は厚紙又はこれらと  同等の強度を有する材料を以って所望の形状を形成したマーカーの上部に突起部を設け  前面に文字を表示すると共にこの文字に合致した点字を形成して、クリップのつまみ部  分に接着剤で固着するか又は反対側に当て材を当てクリップを挟む形で両者を固定する  か又はマーカーに溝を形成し該溝にクリップを挿入するかして取り付けた事を特徴とす  るマーカー付きクリップ。
【考案の効果】
【０００５】
本考案によって次のような効果がある。
（イ）クリップで纏めた書類の内容が一目でわかる。
（ロ）目視だけでなく触れることでマーカーの種類が把握できるので、暗い場所や鞄の        中など見難い場所での確認が容易である。
（ハ）文字と点字の両方が記されているため、健常者と目の不自由な方の双方で情報を        共有できる。
【考案を実施するための最良の形態】
【０００６】
以下、本考案の実施の形態について説明する。本考案は従来からあるクリップにマーカ  ーを付けた物である。マーカー部分の材料は例えば、合成樹脂又はゴム又は厚紙又はこ  れらと同等の強度を有するものが考えられる。材料の厚さは１mm未満では本考案を実施  するには剛性が不足すると考えられるので1mm以上の厚さが好ましい。
（イ）マーカー２の上部に突起部４を設け、前面に文字３を表示すると共にこの文字に          合致した点字５を形成する。
（ロ）クリップのつまみ部分８に（イ）のマーカーを取り付ける。
【０００７】
本考案は以上のような構成よりなっており、使用するときは通常のクリップと同様に書  類や物を挟んで使用する。図６は書類を挟んで使用している状態、図９はスナック菓子  の袋に挟んで使用している状態である。例えば健常者の方がポテトチップスの袋に本考  案のクリップを挟んでおけば、視覚障害者の方が本考案の突起部や点字に触れることで  、袋を開ける事無く中身がポテトチップスであるのを知ることが出来る。
【図面の簡単な説明】
【０００８】
【図１】ゼムクリップの正面図
【図２】ゼムクリップにマーカーを付けた本考案の正面図
【図３】マーカーをクリップに接着剤で固着した場合の側面図
【図４】マーカーに当て材を当てクリップを挟んで固着した場合の側面図
【図５】マーカーに溝を入れクリップを挿入した場合の側面図
【図６】本考案で書類を挟み纏めた場合の使用図
【図７】目玉クリップの正面図
【図８】目玉クリップにマーカーを付けた本考案の正面図
【図９】ポテトチップスの袋に図８の本考案を付けた場合の使用図
【符号の説明】
【０００９】
１：ゼムクリップ
２：マーカー
３：文字
４：突起部
５：点字
６：書類
７：目玉クリップ
８：つまみ部
９：当て材
【図１】
0003147076.tif 000003
【図２】
0003147076.tif 000004
【図３】
0003147076.tif 000005
【図４】
0003147076.tif 000006
【図５】
0003147076.tif 000007
【図６】
0003147076.tif 000008
【図７】
0003147076.tif 000009
【図８】
0003147076.tif 000010
【図９】
0003147076.tif 000011
(57)【要約】      （修正有）【課題】表面に溜まる水を、調理しながら効率よく水はけさせるまな板を提供する。【解決手段】四角形に形成されたまな板本体と、このまな板の上下面の少なくとも１面に、角部の３隅の角部より他の１隅の角部に至って低くなる様形成された傾斜面と、谷部を設ける。まな板本体Ａは、木製或いは合成樹脂製となっており四角形に形成されている。このまな板本体Ａの上下面Ｂ，Ｃの少なくとも１面に角部ａ，ｂ，ｄの３隅から角部ｃに至って低くなる傾斜面に形成されている。【選択図】図１
0003147078.tif 000002
【実用新案登録請求の範囲】
【請求項１】
四角形に形成されたまな板本体と、このまな板本体の上下面の少なくとも１面に、その４隅の角部の３隅の角部より、他の１隅の角部に至って低くなる様、形成された傾斜面とでなしたことを特徴としたまな板。    
【請求項２】
傾斜面を上下２面に夫々形成したことを特徴とする請求項１記載のまな板。
【請求項３】
隣接する高い角部間の側辺より低い１隅の角部に至ると共に、その低い角部側に順次浅くなるＶ字溝を形成したことを特徴とする請求項１〜２のいずれか１記載のまな板。
【考案の詳細な説明】
【技術分野】
【０００１】
本考案はまな板に関する。
【背景技術】
【０００２】
一般的にまな板は全体が同じ厚さの平板状に形成されている。
【特許文献１】実開昭５２−８６５５０号公報
【特許文献２】実開昭５４−１１９８５０号公報
【考案の開示】
【考案が解決しようとする課題】
【０００３】
しかしながら、まな板表面に水が溜まり、調理した食材が水を含みやすくなったり、調理台が汚れやすくなるという不利がある。      
実用新案文献１においては、水はけの際に谷部に水は溜まるが、流れていかないという問題点がある。
実用新案文献２においては、高低差はあるが、まな板主要部が平面なのでまな板側面から水がこぼれてしまうという問題点がある。      
【課題を解決するための手段】
【０００４】
本考案は、四角形に形成されたまな板本体と、このまな板の上下面の角部の少なくとも１面に、その４隅の角部の３隅の角部より、他の１隅の角部に至って低くなる様形成された傾斜面とでなしたまな板。
【考案の効果】
【０００５】
請求項１により、傾斜面と高低差をつけ一番低い一箇所に水を集  め、簡単に水はけする事ができる。
請求項２により上下２面にすることで  左右対称になり  流し台の向きに対応する事ができる。
【考案を実施するための最良の形態】
【０００６】
以下本考案を実施例の図面に基づいて説明すると、図１はまな板の斜視図を示し、まな板本体Aは、木製或いは合成樹脂製となっており四角形に形成されている。
而して、このまな板本体Aの上下面B,Cの少なくとも１面に角部a、ｂ、ｃ、ｄ、の３隅の角部ｃに至って低くなる傾斜面に形成されている。    
もちろん、図１は上下面B、Cの少なくとも１面に形成されている図である。図２は、まな板本体の奥側から見たところの断面図である。図３は、まな板短手側から見た図で、第１図が示す角部aからの傾斜面Dと、角部ｂからの傾斜面Eにより谷部Fを形成したものを本体Aの上下面B,Cに形成した場合の側面図である。図４は、図３の逆側面図であり、角部ｄより角部ｃに向かい低く傾斜面Dをなしている事を示す。
【図面の簡単な説明】
【０００７】
【図１】本考案に係るまな板の斜視図である。
【図２】まな板向手側、側面図である。
【図３】まな板短手側、側面図である。
【図４】まな板短手側、最低部の側面図である。
【符号の説明】
【０００８】
A    まな板本体        
B    まな板上面        
C    まな板下面
D    まな板傾斜面
【図１】
0003147078.tif 000003
【図２】
0003147078.tif 000004
【図３】
0003147078.tif 000005
【図４】
0003147078.tif 000006
(57)【要約】      （修正有）【課題】三次元的な伸縮性を有し、保温性に優れ、しかも羅布麻を繊維として用いたものは、遠赤外線による保温効果に優れた伸縮性下着を提供する。【解決手段】緯糸に熱収縮性繊維であるポリウレタン糸と、天然繊維である絹糸と羅布麻および綿糸を用い、経糸に同様にポリウレタン糸と、絹糸と羅布麻および綿糸を用いた織布を縫製してランニング状物を作成し、このランニング状物を熱収縮させたひつじ雲模様の凹凸のあるちりめん状のランニング３である。【選択図】図２
0003147074.tif 000002
【実用新案登録請求の範囲】
【請求項１】
緯糸と経糸にそれぞれ熱収縮性繊維と天然繊維を用いた織布を所望の下着形状に縫製したものを、熱収縮させたことを特徴とする伸縮性下着。
【請求項２】
熱収縮性繊維がポリウレタンで、天然繊維が羅布麻と絹で形成されていることを特徴とする請求項１記載の伸縮性下着。
【考案の詳細な説明】
【技術分野】
【０００１】
本考案は、三次元の伸縮性を有する下着に関するものである。
【背景技術】
【０００２】
一般に下着などは伸縮性を有するものがあるが、これは撚りを与えた糸や伸縮性弾性糸を織り込んだ織布を縫製したものや（特許文献１）、編成によって伸縮性を持たせたものがある。
【０００３】
また遠赤外線は発生させて保温効果のある下着として、セラミックなどを繊維に混入した糸を用いた織成した織布を用いたもの（特許文献２）、があるが、長期間使用して、洗濯を繰り返して行なっているうちにセラミックが脱落して遠赤外線の効果が低減する問題があった。
【特許文献１】特開２００４−２５６９５３号公報
【特許文献２】特開平１１−２１７７０２号公報
【考案の開示】
【考案が解決しようとする課題】
【０００４】
本考案は上記問題を改善し、三次元的な伸縮性を有し、保温性に優れ、しかも羅布麻を繊維として用いたものは、遠赤外線による保温効果に優れた伸縮性下着を提供するものである。
【課題を解決するための手段】
【０００５】
本考案の請求項１記載の伸縮性下着は、緯糸と経糸にそれぞれ熱収縮性繊維と天然繊維を用いた織布を所望の下着形状に縫製したものを、熱収縮させたことを特徴とするものである。
【０００６】
本考案の請求項２記載の伸縮性下着は、請求項１において、熱収縮性繊維がポリウレタンで、天然繊維が羅布麻と絹で形成されていることを特徴とするものである。
【考案の効果】
【０００７】
本考案に係る請求項１記載の伸縮性下着によれば、緯糸と経糸にそれぞれ熱収縮性繊維と天然繊維を用いた織布を縫製して、熱収縮させたので、熱収縮性繊維が収縮して三次元的な伸縮作用があり軽く締付けると共に、天然繊維による保温効果に優れている。
【０００８】
また請求項２記載の伸縮性下着によれば、熱収縮性繊維がポリウレタンで、天然繊維が羅布麻と絹で形成されているので、収縮性に優れていると共に、天然繊維である羅布麻や絹は柔らかく保温効果に優れている。更に羅布麻は麻のような通気性があり、抗菌効果にも優れ、しかも半永久的に遠赤外線の発生効果に優れて体を暖めることができる。
【考案を実施するための最良の形態】
【０００９】
以下本考案の実施の一形態を図１ないし図３を参照して詳細に説明する。図１に示すように緯糸に熱収縮性繊維であるポリウレタン糸と、天然繊維である絹糸と羅布麻および綿糸を用い、経糸に同様にポリウレタン糸と、絹糸と羅布麻および綿糸を用いた織布１を縫製してランニング状物２を作成する。このランニング状物２を熱湯に入れて加熱すると熱収縮性繊維であるポリウレタン糸が収縮して、図２に示すように約３分の１の大きさに収縮してひつじ雲模様の凹凸のあるちりめん状のランニング３が形成される。このランニング３は図３に示すように体４の肌に直接触れるように着て、この上からシャツなどを着る。
【００１０】
このランニング３は、ポリウレタン糸が収縮して三次元的な伸縮作用があり軽く締付けると共に、天然繊維による保温効果に優れている。特に羅布麻は遠赤外線の発生効果に優れて体４を暖めることができ、綿のような柔らかさと、麻のよな通気性があり、抗菌効果にも優れている。更に羅布麻は、３５℃で遠赤外線を発生させる効果があり、天然繊維であるため洗濯しても劣化せず半永久的に持続することができる。
【００１１】
図４ないし図６は本考案の他の実施の形態を示すもので、緯糸に熱収縮性繊維であるポリウレタン糸と、天然繊維である絹糸と羅布麻および綿糸を用い、経糸に同様にポリウレタン糸と、絹糸と羅布麻および綿糸を用いた織布１を縫製してサポーター状物５を作成する。このサポーター状物５を熱湯に入れて加熱すると熱収縮性繊維であるポリウレタン糸が収縮して、図５に示すように約３分の１の大きさに収縮してひつじ雲模様の凹凸のあるちりめん状のサポーター６が形成される。このサポーター６は図６に示すように足７に直接嵌めて使用する。
【００１２】
このサポーター６は、ポリウレタン糸が収縮して三次元的な伸縮作用があり軽く締付けると共に、羅布麻が遠赤外線の発生効果と、天然繊維による保温効果に優れているので足７を暖めることができ、足７の疲れを短時間に回復させることができる。
【００１３】
なお上記説明ではランニング３とサポーター６に適用した場合について示したが靴下や、スパッツなど他の下着にも広く適用することができる。
【図面の簡単な説明】
【００１４】
【図１】本考案の実施の一形態による縫製したランニング状物を示す正面図である。
【図２】図１のランニング状物を熱収縮させたランニングを示す正面図である。
【図３】図２のランニングを着た状態を示す斜視図である。
【図４】本考案の他の実施の形態によるサポーター状物を示す斜視図である。
【図５】図４のサポーター状物を熱収縮させたサポーターを示す斜視図である。
【図６】図５のサポーターを足に嵌めた状態を示す斜視図である。
【符号の説明】
【００１５】
１  織布                                                    
２  ランニング状物                                          
３  ランニング                                              
４  体                                                      
５  サポーター状物                                          
６  サポーター                                              
７  足                                                      
【図１】
0003147074.tif 000003
【図２】
0003147074.tif 000004
【図３】
0003147074.tif 000005
【図４】
0003147074.tif 000006
【図５】
0003147074.tif 000007
【図６】
0003147074.tif 000008
(57)【要約】      （修正有）【課題】生活全般の袋詰め製品を、子供から老人まで容易に、安全かつ迅速に開封することのできるキッチン開封カッターを提供する。【解決手段】プラスチック製で長方形のプレートに約２ｍｍの幅の溝をプレート側面に平行に設け、溝の奥には袋切断用として小型の刃を入れ、また、袋が入りやすいように溝の入り口を広くしたことを特徴とするキッチン開封カッターで、前記プレートの角を削ったり、プレートの端に磁石や両面テープを設けることもできる。【選択図】図１
0003147090.tif 000002
【実用新案登録請求の範囲】
【請求項１】
長方形（プラスチック製）のプレート内に約２ｍｍの幅の溝をプレートの横に治って平行に設ける。その際、溝の入り口は袋が入りやすいように広めにする。また袋切断用に溝の奥に小型カッターの刃を斜めに埋め込む。
【請求項２】
請求項１のプレートの端に磁石及び両面テープを設ける。冷蔵庫装着時の磁石の強度は、開封時に十分対応できるものとする。また、流し台等の台所付近に両面テープを使用する際も開封時に十分対応できる強度の両面テープの量を備える。
【請求項３】
冷蔵庫等に装着中の本考案品未使用時、邪魔にならないように開封機能部分以外の突出を極力少なくするため、プレートの外側角を斜めに削る等の小型化を図る。
【考案の詳細な説明】
【技術分野】
【０００１】  家事、洗濯、お掃除やおやつ時に、ナイロン袋を開封することがあります。その袋に切り口が付いていればよいのですが、切り口が無い、または途中で切れたりするとこんなに難儀するものかと思う袋があります。近くにハサミやカッターが無く、しまいには包丁を取り出し、危なっかしく袋を開けることになりました。
【背景技術】
【０００２】  現在、市販されている開封用のカッターは無く、キッチンハサミを兼用するか、一部、別売りで小型のハサミを開封用として購入している状況にあります。
【考案の開示】
【考案が解決しようとする課題】
【０００３】  家事、洗濯、お掃除など生活全般の袋詰め製品に対応するカッターがありません。また、子供から老人まで容易に使用でき、且つ安全で、更に調理中など迅速に開封出来るように冷蔵庫や台所に常備（装着）する開封器の市販品がありません。
【課題を解決するための手段】
【０００４】  長方形のプレート（プラスチック製）に横長の溝を設け、溝の奥にカッターの刃を設置する。そのプレートを冷蔵庫や流し台付近に装着できるように磁石または両面テープを装着する。
【考案の効果】
【０００５】  本考案を使用することで生活全般の袋詰め製品の開封が容易である。特に力が弱い女性の味方として家事、洗濯、掃除などの主婦業の開封作業にとても重宝される他、子供から老人にも安全なため、冷蔵庫や台所付近の常備品としても安心できる「キッチン開封カッター」は、まれに見るアイデア際立つ考案品である。
【考案を実施するための最良の形態】
【０００６】  以下、本考案の実施の形態を説明する。
（ア）実用新案登録請求範囲の主とする（１）プラスチック製プレート内に２ｍｍ程度の溝を横の線に平行に設ける。
（イ）実用新案登録請求範囲の主とする（１）の溝の入り口の角を袋が入りやすくするため、斜めに削り広くする。。
（ウ）特許請求範囲の主（１）の溝の奥に小型カッターの刃を斜めに埋め込む。
（エ）冷蔵庫装着用として磁石をプレートの端の下側（上側は袋の端を持つ指のスペース）に結合させる。また、冷蔵庫以外の被金属部に設置する場合のために両面テープを磁石と接地面に使用できるように備品として設ける。
（オ）冷蔵庫等に装着中の本考案品未使用時、邪魔にならないように開封機能部分以外の突出を極力少なくするため、プレートの外側角を斜めに削る等の小型化を図る。
【図面の簡単な説明】
【０００７】
【図１】本考案を冷蔵庫設置し、上方から見た全容図
【図２】本考案の使用方法を入れた正面図（想定）
【図３】本考案を冷蔵庫に装着した横視全容図
【図４】本考案を流し台等に装着した横視全容図
【符号の説明】
【０００８】  （１）プレート（実用新案登録請求範囲の主）、（２）溝（実用新案登録請求範囲の主）、（３）刃（実用新案登録請求範囲の主）、（４）磁石、（５）両面テープ
【図１】
0003147090.tif 000003
【図２】
0003147090.tif 000004
【図３】
0003147090.tif 000005
【図４】
0003147090.tif 000006
【手続補正書】
【提出日】平成20年6月28日(2008.6.28)
【手続補正１】
【補正対象書類名】実用新案登録請求の範囲
【補正対象項目名】全文
【補正方法】変更
【補正の内容】
【実用新案登録請求の範囲】
【請求項１】
プラスチック製で長方形のプレートに約２ｍｍの幅の溝をプレート側面に平行に設け、溝の奥には袋切断用として小型の刃を入れ、また、袋が入りやすいように溝の入り口を広くする。
【請求項２】
請求項１のプレート外側の角を無くし、本考案品未使用時、身体に触れて邪魔にならないようにする。
【請求項３】
請求項１のプレートの端に磁石及び両面テープを設ける。
【手続補正書】
【提出日】平成20年9月6日(2008.9.6)
【手続補正１】
【補正対象書類名】実用新案登録請求の範囲
【補正対象項目名】全文
【補正方法】変更
【補正の内容】
【実用新案登録請求の範囲】
【請求項１】
プラスチック製で長方形のプレートに約２ｍｍの幅の溝をプレート側面に平行に設け、溝の奥には袋切断用として小型の刃を入れ、また、袋が入りやすいように溝の入り口を広くしたことを特徴とするキッチン開封カッター。
【請求項２】
前記プレート外側の角を無くし、未使用時、身体に触れて邪魔にならないようにしたことを特徴とする請求項１記載のキッチン開封カッター。
【請求項３】
前記プレートの端に磁石及び両面テープを設けたことを特徴とする請求項１記載のキッチン開封カッター。
(57)【要約】      （修正有）【課題】カブトムシの死骸を再利用した植物育成剤を提供する。【解決手段】カブトムシの死骸を消毒し乾燥させた後、粉砕機器にて粉砕する。この場合の粉砕の粒径は、植物の根の周辺に十分に触れつつなお根の生育に支障が及ぼさない程度にするため直径３ｍｍ以下とする。また、防臭剤として２００倍に希釈した木酢酸水溶液を加え、さらに固形化する場合はつなぎ剤として小麦粉と水を加え、球形に成形して自然乾燥させる。【選択図】図２
0003147087.tif 000002
【実用新案登録請求の範囲】
【請求項１】
カブトムシを３ｍｍ以下に粉砕した粉末からなる、無機質植物育成剤。
【請求項２】
カブトムシを３ｍｍ以下に粉砕した粉末１に対し、２００倍希釈木酢液少量を加えた水０．３を混合した無機質植物育成剤。
【請求項３】
カブトムシを３ｍｍ以下に粉砕した粉末１に対し、つなぎ剤として小麦粉０．５、水０．５を混合し、これに木酢液２００倍水溶液少量を加えて混ぜ合わせたあと、直径５ｍｍ〜１５ｍｍの球形に成形し、自然乾燥させ固形状にした無機質植物育成剤。
【考案の詳細な説明】
【技術分野】
【０００１】本考案は昆虫キチン質を利用した無機質植物育成剤に関する
【背景技術】
【０００２】これまでカニやエビ、オキアミまたは二枚貝などが一般的にキチン質を含むものとして知られているが、昆虫においてもキチン質が含まれていることは知られているが入手できる量が微量であるため使用検討はあまりなされなかった。しかし近年は自然環境が多くの話題となり昆虫の飼育観察が家庭内でもブ−ムとなってきており、全国各地でも昆虫科学館や飼育観察館ができて子供たちの人気施設となっている。しかしシ−ズン終了後にそれらの大型飼育館から排出される昆虫達の死骸はかなりの量であり、その処分には各施設とも何ら利用されることもなくただ廃棄するしかないのが実情である。
【考案の開示】
【考案が解決しようとする課題】
【０００３】０００２にある昆虫の量が微量であるとされたことについては、最近の家庭においても子供達が自然観察の過程で容易にカブトムシなどを孵化させている事実からみて技術的にも大量の孵化、生産の可能性は大である。また昆虫キチン質の天然の、とくに病害虫に対する植物の自己防衛機能や、細胞活性化機構は人為的に植物生産性の向上に応用できることは既に知られているところであり、今後カブトムシの死骸などの昆虫キチン質を再利用することは、従来のような化学肥料などを大量に生産、使用せずとも農産物の生産性の向上を図れる方策である。  同時にこのことは地球温暖化防止策にもなり、世界の食料不足解消や地球環境保護に対しても貢献できるものである。まさに『カブトムシの贈り物』である。
【課題を解決するための手段】
【０００４】本考案はカブトムシの死骸を再利用して、無機質の植物育成剤を提供することにある。
これはカブトムシが成虫化してから約７０日で死滅する特性も活かし、毎年発生するカブトムシの死骸を再利用して、無機質の植物育成剤を提供するものである。
【考案の効果】
【０００５】この考案により従来廃棄されていたカブトムシの死骸を再利用することで、地球環境の改善に寄与すると同時に、自然原料を使用した植物育成剤は、農薬を使わずに農業生産物の生産性の向上が図れるとともに、食の安全にも寄与できるものである。
【考案を実施するための最良の形態】
【０００６】先ず、カブトムシの死骸を消毒し乾燥させた後、粉砕機器にて粉砕する。この場合の粉砕の粒径は、植物の根の周辺に十分に触れつつなお根の生育に支障が及ぼさない程度にするため直径３ｍｍ以下とする。  粉砕にあたっては、油脂分を取り除くため、あらかじめ内蔵部分を取り除いておいてもよい。【０００７】昆虫の粉末などからは腐敗臭が発生するため、防臭剤を混合させる。防臭剤としては木酢液２００倍水溶液を使用する。その配合比率はカブトムシ粉末１に対して、木酢液２００倍水溶液少量を加えた水０．３を混合する。【０００８】植物育成剤としては、このまま粉末状で利用が可能である。ただし、撒き作業時に風の影響で作業に支障がでる場合や撒いた後に風による飛散、雨による流出を防止するためには植物育成剤を固形化することで解決できる。この場合のつなぎ剤としては小麦粉に限らず土中ですみやかに自然分解されるものであれば良く、形状としては球形で直径５ｍｍ〜１５ｍｍ程度がよい。【０００９】固形化する場合の材料の配合比率はカブトムシ粉末１に対し、つなぎ剤としての小麦粉０．５，水０．５，である。これに木酢液２００倍水溶液少量を加え常温で練り混ぜ合わせる。その後、球形に成形して自然乾燥させる。
【産業上の利用可能性】
【００１０】自然材でできた植物育成剤であるため、農業及び家庭菜園などの園芸用及び植木、観葉植物、花などあらゆる植物育成に利用可能である。
【図面の簡単な説明】
【００１１】
【図１】カブトムシ粉砕粉末
【図２】固形化した植物育成剤
【図１】
0003147087.tif 000003
【図２】
0003147087.tif 000004
【手続補正書】
【提出日】平成20年5月16日(2008.5.16)
【手続補正１】
【補正対象書類名】実用新案登録請求の範囲
【補正対象項目名】全文
【補正方法】変更
【補正の内容】
【実用新案登録請求の範囲】
【請求項１】
カブトムシを粉砕し、直径約３ｍｍの粒とした無機質植物育成剤。
【請求項２】
カブトムシを粉砕し、直径約３ｍｍの粒とした無機質植物育成剤１に対し、２００倍希釈木酢液少量を加えた水０．３を混合した無機質植物育成剤。
【請求項３】
カブトムシを粉砕し、直径約３ｍｍの粒とした無機質植物育成剤１に対し、小麦粉０．５、水０．５を混合し、これに木酢液２００倍水溶液少量を加えて混ぜ合わせたあと、直径５ｍｍ〜１５ｍｍの球形に成形し、自然乾燥させ固形状にした無機質植物育成剤。
【手続補正書】
【提出日】平成20年9月8日(2008.9.8)
【手続補正１】
【補正対象書類名】実用新案登録請求の範囲
【補正対象項目名】全文
【補正方法】変更
【補正の内容】
【実用新案登録請求の範囲】
【請求項１】
カブトムシを粉砕し、直径約３ｍｍの粒とした植物育成剤。
【請求項２】
カブトムシを粉砕し、直径約３ｍｍの粒とした植物育成剤１に対し、２００倍希釈木酢液少量を加えた水０．３を混合した植物育成剤。
【請求項３】
カブトムシを粉砕し、直径約３ｍｍの粒とした植物育成剤１に対し、小麦粉０．５、水０．５を混合し、これに木酢液２００倍水溶液少量を加えて混ぜ合わせたあと、直径５ｍｍ〜１５ｍｍの球形に成形し、自然乾燥させ固形状にした植物育成剤。